(57)【要約】【課題】フィルタの取付方向や清掃構造および風経路を複雑にすることなく、簡単な構成でフィルタの糸屑などの除去が容易にできる洗濯機を提供する。【解決手段】水槽と、水槽内に加熱した空気を吹き出す乾燥ユニット(１００)と、乾燥ユニット(１００)内かつ水槽内からの空気が吸い込まれる風通路(Ｐ)に設けられ、フィルタ面が略縦方向のフィルタ(２００)と、風通路(Ｐ)内のフィルタ(２００)の下流側に配置され、フィルタ(２００)に向かって流体を吹き出すノズル(３００)とを備える。【選択図】図８
2014083392.tif 000002
【特許請求の範囲】
【請求項１】
水槽と、
上記水槽内に加熱した空気を吹き出す乾燥ユニットと、
上記乾燥ユニット内かつ上記水槽内からの空気が吸い込まれる風通路に設けられ、フィルタ面が略縦方向のフィルタと、
上記風通路内の上記フィルタの下流側に配置され、上記フィルタに向かって流体を吹き出すノズルと
を備えたことを特徴とする洗濯機。
【請求項２】
請求項１に記載の洗濯機において、
上記フィルタは、縦方向に延在する縦枠部と、その縦枠部の下端から上流側かつ横方向に屈曲して延びる屈曲部と、上記縦枠部に設けられた網部とを有することを特徴とする洗濯機。
【請求項３】
請求項１または２に記載の洗濯機において、
上記乾燥ユニットの上記風通路内かつ上記フィルタの下流側に配置され、上記風通路内の気流を制御するフラップを備え、
上記フラップに上記ノズルを設けたことを特徴とする洗濯機。
【請求項４】
請求項３に記載の洗濯機において、
上記乾燥ユニットを介して上記水槽内の空気を外部に排出するための排気乾燥通路と、
上記乾燥ユニットを介して上記水槽内の空気を循環させる循環乾燥通路と
を備え、
上記フラップは、上記循環乾燥通路が閉じて上記排気乾燥通路が開く第１フラップ位置、上記排気乾燥通路が閉じて上記循環乾燥通路が開く第２フラップ位置、および、上記フィルタのフィルタ面に対向する第３フラップ位置のいずれかに切り換え可能であることを特徴とする洗濯機。
【請求項５】
請求項１から４までのいずれか１つに記載の洗濯機において、
上記フィルタは、本体上部から上下方向に着脱可能に取り付けられていることを特徴とする洗濯機。
【発明の詳細な説明】
【技術分野】
【０００１】
この発明は、洗濯機に関し、詳しくは乾燥機能を備えた洗濯機に関する。
【背景技術】
【０００２】
乾燥機能を備えた洗濯機において、乾燥運転中にフィルタに堆積した糸屑は、乾燥性能の低下につながるため、運転終了後にユーザーが毎回手入れする必要がある。これは、ユーザーに負担を強いることになってしまうため、フィルタを自動で清掃できる機能を有したものが考えられている。
【０００３】
このようなフィルタ自動清掃機能を備えた従来の第１の洗濯機として、下から上に流れる循環経路部にフィルタを配置し、上から水をシャワー状にかけ、フィルタ下面に付着、堆積していた糸屑を洗い流すものがある(例えば、特開２００９−１４２３５１(特許文献１)参照)。
【０００４】
また、フィルタ自動清掃機能を備えた従来の第２の洗濯機として、循環空気が水槽から出て乾燥ユニットへ入る経路の水槽側の出口部にフィルタを配置して、乾燥運転中のドラム遠心力によってドラム後方に配置された防塵体がフィルタの上に移動するように設定することで、乾燥運転中は糸屑を常に除去して乾燥効率低下を防ぐものがある(例えば、特開２００８−２７２２２２号公報(特許文献２)参照)。
【０００５】
また、フィルタ自動清掃機能を備えた従来の第３の洗濯機として、循環経路に糸屑回収経路としてバイパスを設けて、フィルタに堆積した糸屑を所定の回収箱に集めるものがある(例えば、特開２００４−１５４３２１号公報(特許文献３)参照)。
【先行技術文献】
【特許文献】
【０００６】
【特許文献１】特開２００９−１４２３５１号公報
【特許文献２】特開２００８−２７２２２２号公報
【特許文献３】特開２００４−１５４３２１号公報
【発明の概要】
【発明が解決しようとする課題】
【０００７】
上記従来の第１の洗濯機では、フィルタ部に上から下に散水して糸屑を洗い流すためにフィルタの取付方向が水平方向に制限されて、取り外しが容易な構造にできないという問題がある。
【０００８】
また、上記従来の第２の洗濯機では、水槽の後方にフィルタを配置し、遠心力によって上下動するバネを有する防塵体をドラム後方に取り付け、この防塵体が乾燥時にドラムの回転による遠心力でフィルタの位置まで移動して糸屑を掻き落とすため、構造が複雑になるという問題がある。
【０００９】
また、上記従来の第３の洗濯機では、本来の循環経路とは別のバイパスを設けて、その循環経路内でフィルタに堆積した糸屑を自動で回収するため、循環経路を含む風経路が複雑になってしまうという問題がある。
【００１０】
そこで、この発明の課題は、フィルタの取付方向や清掃構造および風経路を複雑にすることなく、簡単な構成でフィルタの糸屑などの除去が容易にできる洗濯機を提供することにある。
【課題を解決するための手段】
【００１１】
上記課題を解決するため、この発明の洗濯機は、
水槽と、
上記水槽内に加熱した空気を吹き出す乾燥ユニットと、
上記乾燥ユニット内かつ上記水槽内からの空気が吸い込まれる風通路に設けられ、フィルタ面が略縦方向のフィルタと、
上記風通路内の上記フィルタの下流側に配置され、上記フィルタに向かって流体を吹き出すノズルと
を備えたことを特徴とする。
【００１２】
また、一実施形態の洗濯機では、
上記フィルタは、縦方向に延在する縦枠部と、その縦枠部の下端から上流側かつ横方向に屈曲して延びる屈曲部と、上記縦枠部に設けられた網部とを有する。
【００１３】
また、一実施形態の洗濯機では、
上記乾燥ユニットの上記風通路内かつ上記フィルタの下流側に配置され、上記風通路内の気流を制御するフラップを備え、
上記フラップに上記ノズルを設けた。
【００１４】
また、一実施形態の洗濯機では、
上記乾燥ユニットを介して上記水槽内の空気を外部に排出するための排気乾燥通路と、
上記乾燥ユニットを介して上記水槽内の空気を循環させる循環乾燥通路と
を備え、
上記フラップは、上記循環乾燥通路が閉じて上記排気乾燥通路が開く第１フラップ位置、上記排気乾燥通路が閉じて上記循環乾燥通路が開く第２フラップ位置、および、上記フィルタのフィルタ面に対向する第３フラップ位置のいずれかに切り換え可能である。
【００１５】
また、一実施形態の洗濯機では、
上記フィルタは、本体上部から上下方向に着脱可能に取り付けられている。
【発明の効果】
【００１６】
以上より明らかなように、この発明によれば、フィルタの取付方向や清掃構造および風経路を複雑にすることなく、簡単な構成でフィルタの糸屑などの除去が容易にできる洗濯機を実現することができる。
【図面の簡単な説明】
【００１７】
【図１】この発明の実施の一形態の洗濯機の一例としてのドラム式洗濯乾燥機の概略斜視図である。
【図２】上記ドラム式洗濯乾燥機の概略断面図である。
【図３】上記ドラム式洗濯乾燥機の乾燥ユニットを説明するための概略断面図である。
【図４】導入ダクトと導出ダクトの形態を示す水槽の斜視図である。
【図５】上記乾燥ユニットの縦断面の模式図である。
【図６】上記乾燥ユニットの上面の模式図である。
【図７】排気乾燥運転時の乾燥ユニットの縦断面の模式図である。
【図８】自動洗浄時の乾燥ユニットの縦断面の模式図である。
【図９】上記乾燥ユニットに取り付けられる乾燥フィルタの斜視図である。
【図１０】図９に示すＸ−Ｘ線から見た乾燥フィルタの水平断面図である。
【図１１】乾燥フィルタを取り外した状態を示す乾燥ユニットの縦断面の模式図である。
【発明を実施するための形態】
【００１８】
以下、この発明の洗濯機を図示の実施の形態により詳細に説明する。
【００１９】
図１はこの発明の実施の一形態の洗濯機の一例としてのドラム式洗濯乾燥機の概略斜視図を示している。
【００２０】
この実施の形態のドラム式洗濯乾燥機は、図１に示すように、外箱開口部６を前面部に有する外箱１を備えている。外箱１の前面部には、外箱開口部６を閉鎖するためのドア７をヒンジで左右方向に開閉可能に取り付けている。また、外箱１の前面部には、操作キーや表示部を有する操作部９を設けている。この操作部９の裏側(外箱１の内部側)には、ドラム式洗濯乾燥機の動作を制御する制御装置１１(図２参照)を配置している。また、図１において、１０は給水口、３０はスタートキー、３１は電源ボタン、３２はボタン群、３５は表示入力部、３７は洗剤投入部、２００は乾燥フィルタである。
【００２１】
図２は、上記ドラム式洗濯乾燥機を側方から見た概略断面図である。
【００２２】
上記ドラム式洗濯乾燥機は、図２に示すように、外箱１内に配置された有底筒形状の水槽２と、この水槽２内に回転可能に配置され、洗濯物を収容する有底円筒形状のドラム３と、水槽２の後部に取り付けられ、ドラム３を駆動軸４aを介して回転駆動するブラシレスモータ４と、水槽２の後部を弾性支持する２本のダンパ１２(図２では１本のみ図示)とを備えている。なお、ドラム３は回転槽の一例であり、ブラシレスモータ４は駆動装置の一例である。
【００２３】
上記外箱１の上面部の後部には給水口１０を設けている。この給水口１０は、図示しない給水ホースを介して水道の蛇口に接続される。また、給水口１０を外箱１内で給水弁１３の注入口に接続している。これにより、給水ダクト１５と洗剤ケース(図示せず)とを介して、水道水が水槽２の上部から水槽２内に流入したり、あるいは、冷却水ダクト１４を流れて、水槽２の下部から水槽２内に流入したりすることが可能になっている。なお、給水弁１３は給水装置の一例である。
【００２４】
上記水槽２の前面部には、斜め上方を向いて外箱開口部６に対向する水槽開口部１６を設けている。この水槽開口部１６の開口縁は、筒状の接続部材１７を介して外箱開口部６の開口縁に接続されている。また、水槽開口部１６の開口縁には、ゴムや軟質樹脂等の弾性体から成るパッキン１８を固着している。これにより、ドア７を閉じると、ドア７がパッキン１８に密着して、水槽２内の液体が水槽２外へ漏れ出るのを防止している。また、排水モータ２３が排水弁２２を開放すると、水槽２内の液体は、排水ダクト１９と接続ケース２０および排水ホース２１を順次流れて外箱１外へ流れる。また、排水弁２２を閉鎖した状態で循環ポンプ２４を駆動すると、水槽２内の液体を水槽２外に出して、排水ダクト１９および循環ダクト２５を介して水槽２内に戻せるようになっている。また、接続ケース２０は糸屑フィルタ７０を収容している。
【００２５】
上記ドラム３は、前側に対して後側が下がるようにかつ水平方向に対して傾斜するように配置されている。また、ドラム３の前面部には、外箱開口部６および水槽開口部１６に対向するドラム開口部２６を設けている。また、ドラム３の周壁には複数の小孔２７(図２では６個のみを示す)を全周にわたって設けている。また、ドラム３の周壁の内面には、半径方向内側に向かって突出する複数のバッフル２８(図２では１個のみを示す)を設けている。また、ドラム３のドラム開口部２６には、環状の液体バランサ２９を取り付けている。
【００２６】
上記ダンパ１２は、オイルが封入されたシリンダ部４２と、上端部がシリンダ部４２内に入ったピストンロッド４３とを有している。このピストンロッド４３の下端部は、弾性材(例えばＮＢＲ(ニトリルゴム))からなるダンパブッシュ４４を介してダンパ支持金具４５に取り付けられている。
【００２７】
図３は、上記ドラム式洗濯乾燥機の乾燥ユニット１００を説明するための概略断面図を示している。図３では、図２に示す同一の構成部には同一参照番号を付している。また、図３において、２００は乾燥ユニット１００に取り付けられた乾燥フィルタである。
【００２８】
図３に示すように、このドラム式洗濯乾燥機は、洗濯物を乾燥させるための乾燥ユニット１００が水槽２の上方かつ背面側に配置されている。
【００２９】
この乾燥ユニット１００は、乾燥運転には、洗濯物の水分を含んだ空気が回転するドラム３から導出口６６,導出ダクト６２を介して導入され、加熱した温風をドラム３に導入ダクト６１,導入口６４を介して供給する。
【００３０】
ドラム３内に導入される温風は、ドラム３内の洗濯物に当たり、洗濯物の水分を奪って湿り空気となり、ドラム３のドラム開口部２６およびドラム３の周壁に形成された小孔２７を通って水槽２内に流出し、水槽２の底面下部に開口する導出口６６を経て導出ダクト６２内に導出される。
【００３１】
上記水槽２の下側かつ水槽２の内周面とドラム３の外周面との間に冷却板５０を配置している。この冷却板５０は、後側が下方に向かって傾斜しており、冷却水ダクト１４からの給水は、冷却板５０の上面に沿って前方から後方に流れる。冷却板５０には、前後方向に所定の間隔をあけて複数の水溜め部５０aが形成している。
【００３２】
このような冷却板５０に対して、乾燥運転時、冷却水ダクト１４を流れた水道水が供給される。詳しくは、上記冷却水ダクト１４を流れた水道水は、冷却板５０の上面に吐出され、水溜め部５０a内に滞留しつつ後方に流れる。
【００３３】
乾燥運転時、乾燥ユニット１００で加熱された空気が導入口６４からドラム３内へ吹き出る。これにより、上記空気がドラム３内の洗濯物に当たり、洗濯物の水分が蒸発する。この水分を含んだ空気は、小孔２７からドラム３外に出て、冷却板５０に沿って流れる。このとき、水道水が冷却水ダクト１４介して冷却板５０に供給される。そうすると、上記水分を含んだ空気は、冷却板５０上を流れる水道水によって冷却されると共に、その水道水で冷された冷却板５０によって冷却される。これにより、上記冷却板５０に沿って流れる空気の水分が効果的に凝縮する。つまり、上記空気が十分に除湿されて低湿となる。この低湿の空気は、導出口６６と導出ダクト６２を介して乾燥ユニット１００に吸い込まれた後、加熱されてドラム３内へ再び戻る。
【００３４】
図４は、導入ダクト６１と導出ダクト６２の形態を示している。図４では、図２,図３に示す同一の構成部には同一参照番号を付している。
【００３５】
図４に示すように、有底筒形状の水槽２との底面には、導入ダクト６１(図３に示す)の一部として、導入口６４から上方に延びる凹溝６１aを設けている。また、導出ダクト６２(図３に示す)の一部として、導出口６６から上方に延びる凹溝６２aを設けている。この凹溝６１a,６２aを覆うようにカバー５１,５２を水槽２の底部に取り付けている。水槽２内の下部かつ導出口６６近傍に冷却板５０が配置されている。
【００３６】
上記乾燥ユニット１００の風通路Ｐ(図５に示す)と導入ダクト６１と導入口６４とドラム３(図３に示す)と導出口６６と導出ダクト６２で循環乾燥通路を構成している。
【００３７】
図５は、上記乾燥ユニット１００の縦断面の模式図を示し、図６は、乾燥ユニット１００の上面の模式図を示している。図５,図６において、左側がドラム式洗濯乾燥機の前方、右側がドラム式洗濯乾燥機の後方である。
【００３８】
図５,図６に示すように、乾燥ユニット１００は、ケーシング１０１と、ケーシング１０１上部に配置された送風ファン１０２と、送風ファン１０２を回転駆動するモータ１０３と、ヒータ１０４と、ケーシング１０１上部に配置された排気ダクト１０６と、ケーシング１０１内に下側の一部が挿入された乾燥フィルタ２００とを有する。なお、１０６bは排気ダクト１０６の排出口である。
【００３９】
上記ケーシング１０１の後側に、側方に向かって開口する吸込口１０１aを設けている。この吸込口１０１aに導出ダクト６２を接続している。また、ケーシング１０１の下側に外部と連通する外気吸込口１０１bを設けている。上記ケーシング１０１の風通路Ｐ内に、外気吸込口１０１bを開閉する吸気フラップ１１０を回動可能に配置している。吸気フラップ１１０の軸部１１０aをモータ(図示せず)により駆動する。
【００４０】
また、ケーシング１０１内の風通路Ｐに連通する排気ダクト１０６の開口部１０６aに排気フラップ１２０を回動可能に配置している。
【００４１】
上記吸気フラップ１１０が外気吸込口１０１bを閉じた状態(第１フラップ位置)で、モータ１０３により送風ファン１０２を回転駆動することにより、水槽２(図２,図３に示す)内の空気は、図３に示す導出口６６,導出ダクト６２,吸込口１０１aを介してケーシング１０１内の風通路Ｐを通って送風ファン１０２に吸い込まれ、ヒータ１０４により加熱されて吹出口１０５から吹き出した後、図３に示す導入ダクト６１,導入口６４を介してドラム３内に供給される。
【００４２】
図７は、排気乾燥運転時の乾燥ユニット１００の縦断面の模式図を示している。図５と同一の構成部には同一参照番号を付している。この図７では、図５で示したケーシング１０１内の風通路Ｐは吸気フラップ１１０により風通路Ｐ１,Ｐ２に分離される。
【００４３】
図７に示すように、排気乾燥運転時は、吸気フラップ１１０が外気吸込口１０１bを開いた状態(第２フラップ位置)で、かつ、排気フラップ１２０が排気ダクト１０６の開口部１０６aを開いた状態で、モータ１０３により送風ファン１０２を回転駆動することにより、外気吸込口１０１b,風通路Ｐ１を介して送風ファン１０２に吸い込まれた外気は、ヒータ１０４(図６に示す)により加熱された後、吹出口１０５から吹き出して、導入ダクト６１,導入口６４を介してドラム３内に供給される。そして、水槽２内の空気は、導出口６６,導出ダクト６２,吸込口１０１aを介してケーシング１０１内の風通路Ｐ２を通って、排気ダクト１０６を介して排出口１０６bから外部に排出される。
【００４４】
上記乾燥ユニット１００の風通路Ｐと導入ダクト６１と導入口６４とドラム３(図３に示す)と導出口６６と導出ダクト６２と排気ダクト１０６で排気乾燥通路を構成している。
【００４５】
次に、上記乾燥ユニット１００の自動洗浄時について図８に従って以下に説明する。図８は、自動洗浄時の乾燥ユニット１００の縦断面の模式図を示している。
【００４６】
図８に示すように、乾燥フィルタ２００のフィルタ面に対向する第３フラップ位置に吸気フラップ１１０を回動させる。ここで、吸気フラップ１１０には、給水管(図示せず)に接続された複数のノズル３００が設けられている。そして、ノズル３００から乾燥フィルタ２００のフィルタ面に向かってシャワー状に水を吹き出すことにより、乾燥フィルタ２００のフィルタ面に堆積した糸屑２５０を除去する。このとき、除去された糸屑２５０は、水といっしょに吸込口１０１a,導出ダクト６２を介して水槽２内の下部に流れ落ち、排水ダクト１９を介して外部に排出される。
【００４７】
この自動洗浄機能を乾燥終了時または洗濯運転中に行うことによって、次に乾燥運転を行う際にフィルタ目詰まりによる乾燥性能の低下を防ぐことができ、常にフィルタが清潔な状態を維持しながら乾燥運転を行うことができる。
【００４８】
図９は、上記乾燥ユニット１００に取り付けられる乾燥フィルタ２００の斜視図を示している。図９に示すように、乾燥フィルタ２００は、上側に把手２０１aを有する把手部２０１と、把手部２０１の下側から下方に向かって延びかつ一方の側面が開口する箱部２０２と、箱部２０２の開口２０２aを覆う蓋部２０３とを有する。上記蓋部２０３には、図５に示す乾燥ユニット１００の吸込口１０１aに対向する略円形の開口２０３aを設けている。また、蓋部２０３は、下端を軸に回動可能に箱部２０２に取り付けられている。
【００４９】
この乾燥フィルタ２００を乾燥ユニット１００から取り出して蓋部２０３を開くことにより、箱部２０２内から糸屑を容易に除去することができる。
【００５０】
また、図１０は図９に示すＸ−Ｘ線から見た乾燥フィルタ２００の水平断面図を示している。図１０では、蓋部２０３を閉じた状態を示している。
【００５１】
図１０に示すように、乾燥フィルタ２００の箱部２０２は、縦方向に延在する縦枠部の一例として第１縦枠部２１０と、その第１縦枠部２１０の下端から上流側かつ横方向に屈曲して延びる屈曲部の一例としての底面部２２０と、その第１縦枠部２１０の両端から上流側かつ横方向に屈曲して延びる第２,第３縦枠部２３０,２４０とを含む。また、第１縦枠部２１０と第２,第３縦枠部２３０,２４０の夫々に網部２１１,２３１,２４１を設けている。この網部２１１,２３１,２４１の面が、乾燥フィルタ２００の略縦方向のフィルタ面である。
【００５２】
乾燥フィルタ２００は、蓋部２０３の略円形の開口２０３aを介して吸い込まれた空気に含まれる糸屑２５０が主に第１縦枠部２１０の網部２１１により滞留する。そして、糸屑２５０が除去された空気が乾燥フィルタ２００の下流側の送風ファン１０２(図５に示す)に吸い込まれる。
【００５３】
なお、第２,第３縦枠部２３０,２４０の網部２３１,２４１はなくともよいが、この網部２３１,２４１があることによって、第１縦枠部２１０の網部２１１が目詰まりしても、風通路Ｐの損失が少なく、送風性能が低下しないようにできる。
【００５４】
また、図１１は、乾燥フィルタ２００を取り外した状態を示す乾燥ユニット１００の縦断面の模式図を示している。図１１に示すように、乾燥フィルタ２００は、本体上部の乾燥ユニット１００から上下方向に着脱可能に取り付けられていることによって、本体上側の空間を利用して乾燥フィルタ２００の着脱が容易にできる。これに対して、ドラム式洗濯乾燥機が狭い場所(例えば洗面所)に設置されている場合、本体の側方から乾燥フィルタを取り出すことは構造上容易でない。
【００５５】
上記構成のドラム式洗濯乾燥機によれば、乾燥ユニット１００が風通路Ｐを介して水槽２内から空気を吸い込むとき、フィルタ面が略縦方向の乾燥フィルタ２００によって糸屑などを除去する。そして、乾燥フィルタ２００のフィルタ面に堆積した糸屑などを、風通路Ｐ内の乾燥フィルタ２００の下流側に配置されたノズル３００から乾燥フィルタ２００に向かってシャワー状に水を吹き出す。そうすることによって、ノズル３００とは反対側のフィルタ面に堆積した糸屑などが上流側に飛ばされて除去される。このとき、乾燥フィルタ２００のフィルタ面が略縦方向であるので、本体上部の狭いスペースで乾燥フィルタ２００を上下方向に取り出す構造を採用することが可能になる。また、吹き飛ばされた糸屑などは、乾燥ユニット１００の風通路Ｐの吸込口１０１aよりも上流側の導出ダクト６２などに水と共に流れ落ちて、導出ダクト６２などを洗浄した後、排水ダクト１９を介して外部に排出することが可能になる。このように、乾燥フィルタ２００の取付方向や清掃構造および風経路を複雑にすることなく、簡単な構成で乾燥フィルタ２００の糸屑などの除去が容易にできる。
【００５６】
また、上記乾燥フィルタ２００は、縦方向に延在する第１縦枠部２１０と、その第１縦枠部２１０の下端から上流側かつ横方向に屈曲して延びる屈曲部である底面部２２０と、第１縦枠部２１０に設けられた網部２１１とを少なくとも有する乾燥フィルタ２００を用いることによって、網部２１１に堆積した糸屑などが落下しても、底面部２２０で受けることができ、乾燥フィルタ２００の取り出し時に本体内に落下するのを防止できる。
【００５７】
また、上記乾燥ユニット１００の風通路Ｐ内かつ乾燥フィルタ２００の下流側に配置された吸気フラップ１１０によって、簡単な構成で風通路Ｐ内の気流を制御することができる。例えば、上記吸気フラップ１１０によって、乾燥ユニット１００を介して水槽２内の空気を外部に排出したり、乾燥ユニット１００を介して水槽２内の空気を循環させたりする風通路Ｐの切り換えを行う。そのような吸気フラップ１１０にノズル３００を設けることによって、風通路Ｐ内の気流を乱すことなく、乾燥フィルタ２００の下流側にノズル３００を配置できる。
【００５８】
また、上記吸気フラップ１１０を第１フラップ位置にすることにより、循環乾燥通路(Ｐ,６１,６４,３,６６,６２)が閉じて排気乾燥通路(Ｐ１,Ｐ２,６１,６４,３,６６,６２,１０６)が開き、水槽２内の空気を乾燥ユニット１００と排気乾燥通路を介して外部に排出する。また、上記吸気フラップ１１０を第２フラップ位置にすることにより、排気乾燥通路が閉じて循環乾燥通路が開き、乾燥ユニット１００を介して水槽２内の空気を循環させる。さらに、上記吸気フラップ１１０を第３フラップ位置にすることにより、吸気フラップ１１０が乾燥フィルタ２００のフィルタ面に対向して、ノズル３００から乾燥フィルタ２００に向かって流体(この実施形態では水)を吹き出すことでフィルタ面を洗浄することができる。
【００５９】
また、狭い場所(洗面所)に設置されるために本体側方から乾燥フィルタ２００を取り出しにくいドラム式洗濯乾燥機では、乾燥フィルタ２００が、本体上部から上下方向に着脱可能に取り付けられていることによって、本体上側の空間を利用して乾燥フィルタ２００の着脱が容易にできる。また、フィルタ面が略縦方向であるので、フィルタ面積を大きくしたフィルタであっても、フィルタ面に平行な方向すなわち上下方向に沿って乾燥フィルタ２００を取り出すことにより、本体上部に大きな取り出し用の開口を設ける必要がない。
【００６０】
上記実施の形態では、洗濯機としてドラム式洗濯乾燥機について説明したが、他の構成の洗濯機にこの発明を適用してもよい。
【００６１】
この発明の具体的な実施の形態について説明したが、この発明は上記実施の形態に限定されるものではなく、この発明の範囲内で種々変更して実施することができる。
【００６２】
この発明の洗濯機は、
水槽２と、
上記水槽２内に加熱した空気を吹き出す乾燥ユニット１００と、
上記乾燥ユニット１００の上記水槽２内から空気を吸い込むときの吸込口に設けられ、フィルタ面が略縦方向のフィルタ２００と、
上記フィルタ２００の下流側に配置され、上記フィルタ２００に向かって流体を吹き出すノズル３００と
を備えたことを特徴とする。
【００６３】
上記構成によれば、乾燥ユニット１００が風通路Ｐを介して水槽２内から空気を吸い込むとき、フィルタ面が略縦方向のフィルタ２００によって糸屑などを除去する。そして、フィルタ２００のフィルタ面に堆積した糸屑などを、風通路Ｐ内のフィルタ２００の下流側に配置されたノズル３００からフィルタ２００に向かって流体(例えば水)を吹き出す。そうすることによって、ノズル３００とは反対側のフィルタ面に堆積した糸屑などが上流側に飛ばされて除去される。このとき、フィルタ２００のフィルタ面が略縦方向であるので、本体上部の狭いスペースでフィルタ２００を上下方向に取り出す構造を採用することが可能になる。また、吹き飛ばされた糸屑などは、乾燥ユニット１００の風通路Ｐの吸込口よりも上流側の吸込経路６２に流体(例えば水)と共に流れ落ちて、風通路を洗浄した後、例えば排水路１９を介して外部に排出することが可能になる。このように、フィルタ２００の取付方向や清掃構造および風経路を複雑にすることなく、簡単な構成でフィルタ２００の糸屑などの除去が容易にできる。
【００６４】
また、一実施形態の洗濯機では、
上記フィルタ２００は、縦方向に延在する縦枠部２１０と、その縦枠部２１０の下端から上流側かつ横方向に屈曲して延びる屈曲部２２０と、上記縦枠部２１０に設けられた網部２１１とを有する。
【００６５】
上記実施形態によれば、フィルタ２００は、縦方向に延在する縦枠部２１０と、その縦枠部２１０の下端から上流側かつ横方向に屈曲して延びる屈曲部２２０と、縦枠部２１０に設けられた網部２１１とを有するフィルタ２００を用いることによって、フィルタ面に堆積した糸屑などが落下しても、屈曲部２２０で受けることができ、フィルタ２００の取り出し時に本体内に落下するのを防止できる。
【００６６】
また、一実施形態の洗濯機では、
上記乾燥ユニット１００の上記吸込口を介して上記水槽２内から空気が吸い込まれる風通路かつ上記フィルタ２００の下流側に配置され、上記風通路内の気流を制御するフラップ１１０を備え、
上記フラップ１１０に上記ノズル３００を設けた。
【００６７】
上記実施形態によれば、乾燥ユニット１００の風通路Ｐ内かつフィルタ２００の下流側に配置されたフラップ１１０によって、簡単な構成で風通路内の気流を制御することができる。例えば、上記フラップ１１０によって、乾燥ユニット１００を介して水槽内の空気を外部に排出したり、乾燥ユニット１００を介して水槽内の空気を循環させたりする風通路の切り換えを行う。そのようなフラップ１１０にノズル３００を設けることによって、風通路内の気流を乱すことなく、フィルタ２００の下流側にノズル３００を配置できる。
【００６８】
また、一実施形態の洗濯機では、
上記乾燥ユニットを介して上記水槽内の空気を外部に排出するための排気乾燥通路と、
上記乾燥ユニット１００を介して上記水槽２内の空気を循環させる循環乾燥通路と
を備え、
上記フラップ１１０は、上記循環乾燥通路(Ｐ,６１,６４,３,６６,６２)が閉じて上記排気乾燥通路(Ｐ１,Ｐ２,６１,６４,３,６６,６２,１０６)が開く第１フラップ位置、上記排気乾燥通路が閉じて上記循環乾燥通路が開く第２フラップ位置、および、上記フィルタ２００のフィルタ面に対向する第３フラップ位置のいずれかに切り換え可能である。
【００６９】
上記実施形態によれば、フラップ１１０を第１フラップ位置にすることにより、循環乾燥通路が閉じて排気乾燥通路が開き、乾燥ユニット１００と排気乾燥通路を介して水槽内の空気を外部に排出する。また、上記フラップ１１０を第２フラップ位置にすることにより、排気乾燥通路が閉じて循環乾燥通路が開き、乾燥ユニット１００を介して水槽２内の空気を循環させる。さらに、上記フラップ１１０を第３フラップ位置にすることにより、フラップ１１０がフィルタ２００のフィルタ面に対向して、ノズル３００からフィルタ２００に向かって流体を吹き出すことでフィルタ面を洗浄することができる。
【００７０】
また、一実施形態の洗濯機では、
上記フィルタ２００は、本体上部から上下方向に着脱可能に取り付けられている。
【００７１】
上記実施形態によれば、狭い場所(洗面所)に設置されるために本体側方からフィルタ２００を取り出しにくい洗濯機では、フィルタ２００が、本体上部から上下方向に着脱可能に取り付けられていることによって、本体上側の空間を利用してフィルタ２００の着脱が容易にできる。また、フィルタ面が略縦方向であるので、フィルタ面積を大きくしたフィルタであっても、フィルタ面に平行な方向に沿ってフィルタ２００を取り出すことにより、本体上部に大きな取り出し用の開口を設ける必要がない。
【符号の説明】
【００７２】
１…外箱
２…水槽
３…ドラム
４…ブラシレスモータ
６…外箱開口部
７…ドア
９…操作部
１０…給水口
１１…制御装置
１２…ダンパ
１３…給水弁
１４…冷却水ダクト
１５…給水ダクト
１６…水槽開口部
１７…接続部材
１８…パッキン
１９…排水ダクト
２０…接続ケース
２１…排水ホース
２２…排水弁
２３…排水モータ
２４…循環ポンプ
２５…循環ダクト
２６…ドラム開口部
２７…小孔
２８…バッフル
２９…液体バランサ
３０…スタートキー
３１…電源ボタン
３２…ボタン群
３５…表示入力部
３７…洗剤投入部
１００…乾燥ユニット
１０１…ケーシング
１０２…送風ファン
１０３…モータ
１０４…ヒータ
１０５…吹出口
１０６…排気ダクト
１１０…吸気フラップ
１２０…排気フラップ
２００…乾燥フィルタ
２０１…把手部
２０２…箱部
２０３…蓋部
２１０…第１縦枠部
２１１,２３１,２４１…網部
２２０…底面部
２３０…第２縦枠部
２４０…第３縦枠部
３００…ノズル
Ｐ,Ｐ１,Ｐ２…風通路
【図１】
2014083392.tif 000003
【図２】
2014083392.tif 000004
【図３】
2014083392.tif 000005
【図４】
2014083392.tif 000006
【図５】
2014083392.tif 000007
【図６】
2014083392.tif 000008
【図７】
2014083392.tif 000009
【図８】
2014083392.tif 000010
【図９】
2014083392.tif 000011
【図１０】
2014083392.tif 000012
【図１１】
2014083392.tif 000013